(57)【要約】【課題】排水の磁気処理化を円滑に行い、排水処理を行った排水に含まれる有害物質を確実に減少させることができる排水処理装置を提供する。【解決手段】  有機物を構成し且つ環境汚染の直接的原因物質となる炭素、窒素、リン、それに難分解性有機物質、重金属類、コロイド状無機物質等を含む排水を処理する排水処理手段を有する排水処理装置であって、排水処理手段で処理し排出される排水の流動管路に、所定の流速で流動する排水のクラスターを磁気力により細分化する磁気処理装置Ａを設けて、排水を浄化するようにした。【選択図】  図１
2006055826.tif 000002
【特許請求の範囲】
【請求項１】
排水を処理する排水処理手段を有する排水処理装置であって、
前記排水処理手段で処理し排出される排水の流動管路に、所定の流速で流動する前記排水に対して直角な磁界を形成し前記排水に磁界を印加する磁気処理装置を設けて、前記排水を浄化するようにしたことを特徴とする水排水処理装置。
【請求項２】
前記磁気処理装置は、一方の異方性磁気体を収容した磁性体製の一方の磁石保持ケースと、他方の異方性磁気体を収容した磁性体製の他方の磁石保持ケースとを有し、
前記一方の磁石保持ケースと前記他方の磁石保持ケースとを、それぞれの合せ目において互いに磁気吸着させて枠体を構成して、この枠体で磁気誘導回路を構成させると共に、前記一方の磁石保持ケースと前記他方の磁石保持ケースとで、前記流動管路に接続されて前記排水が流動する非磁性体製の接続管を挟み込み、
前記一方の異方性磁気体と前記他方の異方性磁気体とにより形成される磁界が、前記接続管に対して直交しており、前記一方の異方性磁気体と前記他方の異方性磁気体との磁極間において前記排水の流れに対して直角な磁界を形成し前記排水に前記磁界を印加するものであることを特徴とする請求項１に記載の排水処理装置。
【請求項３】
前記接続管が、非鉄金属からなる外側管体と、この外側管体の内部に収容され且つ前記外側管体の内壁部との間に、前記接続管の入口側から出口側に抜ける流路を形成し且つ前記外側管体と異なる非鉄金属からなる内側管体とで構成してあり、前記外部管体と前記内部管体との間には、二種類の非鉄金属のそれぞれが有する電位（Ｈ＝０Ｖ基準の標準電位）の差（電位差）が存在することを特徴とする請求項２に記載の排水処理装置。
【請求項４】
前記外側管体が、単極電位がプラス電位の一価と三価の物理化学的性質を有する非鉄金属管で構成されており、前記内側管体が、単極電位がマイナス電位の物理化学的性質を有する非鉄金属管で構成されていることを特徴とする請求項３に記載の排水処理装置。
【請求項５】
前記二種類の非鉄金属が、金（Ａｕ）とチタン（Ｔｌ）の場合、プラチナ（Ｐｔ）とチタン（Ｔｉ）の場合のいずれか一つであることを特徴とする請求項４に記載の排水処理装置。
【請求項６】
前記外側管体の押潰し量により前記流路の断面積を変えるようにしたことを特徴とする請求項３乃至請求項５のいずれかの一に記載の排水処理装置。
【請求項７】
前記磁石保持ケースの角部に、曲げ角度が５６度以上のアールを形成したことを特徴とする請求項２乃至請求項６のいずれかの一に記載の排水処理装置。
【請求項８】
前記排水処理手段が、合併浄化処理手段、産業排水処理手段を含むことを特徴とする請求項１乃至請求項７のいずれかの一に記載の排水処理装置。
【発明の詳細な説明】
【技術分野】
【０００１】  本発明は、合併浄化処理手段、産業排水処理手段等の排水処理手段が排出する排水の浄化を行い、環境改善を目的にした排水処理装置に関するものである。
【背景技術】
【０００２】  排水を処理する一般的な目的は、排水中に存在する汚濁物質を水から分離して、除去することである。水中に存在する物質を除去するためには、その物質を気体状に変化させて、気体の分離を進めるか、そのものを固形状に変化させて固液分離を進めるか、または溶解性のままでも各種の吸着剤への吸着、イオン交換、膜分離などによって分離を進めなければならない。【０００３】  まず、気液分離に際しては、対象となる二酸化炭素、メタン、窒素などの気体は水への溶解度が小さいのでこの分離のためには特別のプロセスは用意されないのが普通である。但し、アンモニアをガスとしてストリッピングするためにはｐＨを９．６以上に高く保つ必要があり、特別な理由で二酸化炭素を除去したいときにはｐＨを４．５以下にする必要があるが、これは例外的である。【０００４】  固形物の分離に対しては、固形化された物質の大きさ、形状、密度、強度、濃度などによって各種の分離操作が適用されることになる。中間処理として生物の働きを利用した生物処理、物理化学的な作用を利用した物理化学的処理がある。生物処理にあっては、有機物を構成する元素の中で、炭素、窒素は二酸化炭素、メタンガス、窒素ガスとして気化させる作用と、生物体として固形化させる作用がある。下水処理等において最も基本的な生物はバクテリアを中心とし、原性動物までを含めた微生物である。【０００５】  物理化学処理にあっては、多くの場合、凝集剤を添加することでコロイド状の固形物を大型化したり、溶解しているイオンなどを不溶性の塩の形で析出させ固化させる作用が期待される。凝集剤としては無機系の薬剤と有機系の薬剤が使われる。【０００６】  最終的な汚染物質（有機物を構成し且つ環境汚染の直接的原因物質となる炭素、窒素、リン、それに難分解性有機物質、重金属類、コロイド状無機物質）の除去は、最終的には気液分離又は固液分離かの何れかのプロセスを経る。この分離を効率的に行うためその前処理的な処理を行うのが生物処理や物理化学処理である。【０００７】  炭素は、生物反応によって二酸化炭素又は、メタンのガス状物質に転換されると共に生物体を構成する炭素源としても使われる。生物によって使われた炭素のうち、生物体の方へまわる割合はそれぞれの生物種の収率とよばれるが、収率が大きいということは汚泥処理の負担を大きくする。【０００８】  窒素は、主として蛋白質系の物質からもたらされる。アミノ酸から脱アミノ反応によって生じたアンモニアを硝化菌の働きで酸化し、それを脱窒菌の働きで窒素ガスへ還元するプロセスがとられる。また当然のこととして、生物体中へ固定され、固液分離により除去される。またゼオライトなどへの吸着も使われる。【０００９】  リンは、都市下水中ではリン酸として存在しており、ガス化することはないので、なんらかの方法で固化する必要がある。一つは生物体に固定することであり、近年開発された嫌気・好気活性汚泥法が有望視されている。物理化学的な方法としては、アルミニウムや鉄のような多価の金属と不溶性のリン酸塩を形成させ凝集沈殿させる方法やリン酸カルシウムの結晶をアパタイトとして析出させる方法がとられる。【００１０】  難分解性有機物、微量の有機物には活性炭への吸着や物理化学的凝集処理が使われる。重金属類は、一部が生物体中へ蓄積されるが、多くは凝集沈殿法によって除去される。生物体へ蓄積される場合はその生物体（汚泥）の処理において問題を生じる。【００１１】  その他のコロイド状無機性物質については、固形物の大きさにもよるが、多くの場合膜濾過しており、直接濾過が出来ないときには凝集沈殿法と組み合わせた膜濾過法が有効となる。また、砂濾過も利用可能である。【００１２】  いずれの場合にも、汚染物質（有機物を構成し且つ環境汚染の直接的原因物質となる炭素、窒素、リン、それに難分解性有機物質、重金属類、コロイド状無機物質）の完全除去は不可能であって、排水中には、多少の汚染物質除が含まれるようになる。また、排水に含まれる有害物質として、環境ホルモンとしてのビスフェノールＡ、ダイオキシン等の化学物質もある。【００１３】  また、磁気処理した水または水を主体とした液体、またはこれらの液体を含む有機液体である磁気水は、用水、配管の赤水、赤錆対策及びスケール、スラッジ防除、農業、園芸における植物の成長促進、食品製造における食品の鮮度保持、魚介類の養殖促進、燃料油改質による燃料効率の改善など、広い分野の改善に利用され得ることが知られている。【００１４】  そして、磁気水を生成するための従来の磁気処理装置は、特許文献１で述べられており、図９に示すように、第１、第２の磁気保持ケース４１、４６を有しており、この第１の磁気保持ケース４１の開口部には半円状の溝４４が形成してあり、第１の磁気保持ケース４１の底部には永久磁石（希土類コバルト磁石）４５が固着してある。【００１５】  また、第２の磁気保持ケース４６の開口部には半円状の溝４９が形成してあり、この第２の磁気保持ケース４６の底部には，強磁性体製の誘導極５０が固着してある。【００１６】  そして、磁気処理装置は、第１、第２の磁気保持ケース４１、４６を、処理対象としての流体を流す非磁性材製の管体６０を挟んだ状態（第１、第２の磁気保持ケース４１、４６の溝４４、４９が成す円孔に管体６０が挿入される）で互いに連結して使用される。【００１７】  しかしながら、上記した従来の磁気処理装置にあっては、永久磁石４５と誘導極５０とを向かい合わせることで磁場を発生させるようにしてあるが、実際には誘導極５０が磁気を誘導することが少なく、永久磁石４５からの磁力線Ｆは誘導極５０に向かってわずかしか走らず、しかも、磁気漏れを起こしやすく、また、実際には、永久磁石４５の背面から、すなわち第２の磁気処理ケース４６の底部から外に向かって、磁気の漏洩が激しく、流体の磁気処理化が円滑に行われない。【００１８】  このような従来の問題点を解決するものとして、本出願人は、先に、特許文献２において、被処理流体を直角に貫く磁気力が強く、また、磁力線の漏洩がほとんど無く、流体の磁気処理化を円滑に行うことができて、特に、安全性の向上を図った磁気処理装置を提供した。【００１９】  この磁気処理装置は、被処理流体の流れに対して直角方向の磁界を形成する一対の永久磁石を備えた磁気処理装置において、一方の永久磁石を磁性体製の一方の磁石保持ケースに収容した一方の磁気処理体と、他方の永久磁石を磁性体製の他方の磁石保持ケースに収容し且つこの他方の磁石保持ケースに一方の磁石保持ケースをその合せ目において磁気吸着させて一方の磁気処理体に接続される他方の磁気処理体とを備え、一方及び他方の磁石保持ケースの合せ目に被処理流体が流動する管体を挟み込む管体挟込み部を設けると共に、合せ目において互いに磁気吸着した一方及び他方の磁石保持ケースを磁気回路の一部にしたものである。
【特許文献１】特開平９−１６４３３０号公報
【特許文献２】特開平１１−３０９４６２号公報
【発明の開示】
【発明が解決しようとする課題】
【００２０】  上記した磁気処理装置は、液体燃料の流れを磁界に晒すために、この液体燃料を流す接続管を使用している。本出願人は、鋭意研究の結果、この接続管として、非磁性体であってイオン化傾向の大きい物質もしくはイオン化傾向の小さい物質を素材した非鉄金属で製造された内外二つの管体を使用することによって、液体燃料の改質を見出すと共に、より液体分子の細分化を実現した。【００２１】  そして、この磁気処理装置における液体分子の細分化を、排水処理装置に応用することで、排水処理を行った排水に含まれる有害物質を減少させて環境改善に役立てることができることを見出した。【００２２】  本発明は、このような観点からなされたものであって、その目的とするところは、排水の磁気処理化を円滑に行い、排水処理を行った排水に含まれる有害物質を確実に減少させることができる排水処理装置を提供することである。
【課題を解決するための手段】
【００２３】  上記の目的を達成するために、本発明に係る排水処理装置は、排水を処理する排水処理手段を有する排水処理装置であって、排水処理手段で処理し排出される排水の流動管路に、所定の流速で流動する排水に対して直角な磁界を形成し排水に磁界を印加する磁気処理装置を設けて、排水を浄化するようにしたことを特徴とする。【００２４】  かかる構成により、磁気処理装置により、排水処理を行った排水に磁気力を与えることによって、この所定の流速で流動する排水に対して直角な磁界を形成し排水に磁界を印加して排水に含まれる有害物質を確実に減少させることができる。なお、有害物質とは、有機物を構成し且つ環境汚染の直接的原因物質となる炭素、窒素、リン、それに難分解性有機物質、重金属類、コロイド状無機物質等を含むものである。【００２５】  また、本発明に係る排水処理装置は、上記した本発明に係る排水処理装置において磁気処理装置は、一方の異方性磁気体を収容した磁性体製の一方の磁石保持ケースと、他方の異方性磁気体を収容した磁性体製の他方の磁石保持ケースとを有し、一方の磁石保持ケースと他方の磁石保持ケースとを、それぞれの合せ目において互いに磁気吸着させて枠体を構成して、この枠体で磁気誘導回路を構成させると共に、一方の磁石保持ケースと他方の磁石保持ケースとで、流動管路に接続されて排水が流動する非磁性体製の接続管を挟み込み、一方の異方性磁気体と他方の異方性磁気体とにより形成される磁界が、接続管に対して直交しており、一方の異方性磁気体と他方の異方性磁気体との磁極間において排水の流れに対して直角な磁界を形成し排水に磁界を印加するものであることを特徴とする。【００２６】  かかる構成により、排水に、例えば、毎秒１．２ｍから１．６ｍの流速を与えることで、排水が流れる管路（接続管）内で、排水に微量に含有する金属元素（カルシウム、ナトリウム、マグネシウム、カリウム、アルミニウム、鉄、チタン）等の帯電体（荷電粒子）に、静電気（例えば、毎秒１．２ｍでは０．０６ｍＡ、流速毎秒１．６ｍでは０．０８ｍＡ）が発生し、接続管において外側管体と内部管体との間に電位差が発生することでイオン結合を不安定にさせると共に、一方の異方性磁気体と他方の異方性磁気体との磁極間に、例えば４０００ガウスから８０００ガウスの磁界の磁気を接続管に印加することで起電力を発生させて、帯電体を接続管の素材が有する＋イオンに反応させてイオン化させることができる。【００２７】  このように、排水を磁力と流動と電位差により排水のクラスターを細分化して排水に含まれる有害物質を確実に減少させることができる。【００２８】  また、本発明に係る排水処理装置は、上記した本発明に係る排水処理装置において、接続管が、非鉄金属からなる外側管体と、この外側管体の内部に収容され且つ外側管体の内壁部との間に、接続管の入口側から出口側に抜ける流路を形成し且つ外側管体と異なる非鉄金属からなる内側管体とで構成してあり、外部管体と内部管体との間には、二種類の非鉄金属のそれぞれが有する電位（Ｈ＝０Ｖ基準の標準電位）の差（電位差）が存在することを特徴とする。【００２９】  また、本発明に係る排水処理装置は、上記した本発明に係る排水処理装置���おいて、外側管体が、単極電位がプラス電位の一価と三価の物理化学的性質を有する非鉄金属管で構成されており、内側管体が、単極電位がマイナス電位の物理化学的性質を有する非鉄金属管で構成されていることを特徴とする。【００３０】  また、本発明に係る排水処理装置は、上記した本発明に係る排水処理装置において、二種類の非鉄金属が、金（Ａｕ）とチタン（Ｔｌ）の場合、プラチナ（Ｐｔ）とチタン（Ｔｉ）の場合のいずれか一つであることを特徴とする。【００３１】  かかる構成により、二種類の非鉄金属のそれぞれが有する電位（Ｈ＝０Ｖ基準の標準電位）の差（電位差）を確実に発生させることができる。このために、排水のイオン結合を不安定にさせて有機化合物、有害物質、汚染物質の分解能を向上させることができる。【００３２】  また、本発明に係る排水処理装置は、上記した本発明に係る排水処理装置において、外側管体の押潰し量により流路の断面積を変えるようにしたことを特徴とする。【００３３】  かかる構成により、外側管体の押潰し量により流路の断面積を変えることで、流路を流れる排水の流速を変えて、上記した磁界による起電力を変化させ、排水に含まれる有機化合物、有害物質、汚染物質を分解させることができる。【００３４】  また、本発明に係る排水処理装置は、上記した本発明に係る排水処理装置において、磁石保持ケースの角部に、曲げ角度が５６度以上のアールを形成したものである。【００３５】  かかる構成により、磁石保持ケースの角部に、曲げ角度が５６度以上のアールを形成した排水の改質装置は、磁気漏れの無い強力な磁気誘導閉回路を実現する。ここで、磁気誘導閉回路とは、磁界が保持ケースの外部に存在しない回路のことを言う。【００３６】  また、本発明に係る排水処理装置は、上記した本発明に係る排水処理装置において、排水処理手段が、合併浄化処理手段、産業排水処理手段を含むことを特徴とする。【００３７】かかる構成により、合併浄化処理手段、産業排水処理手段（例えば、合併浄化処理、食品工場の排水処理、火力発電所の排水処理のみならず、半導体製造工場の排水処理等）において、磁気処理装置により排水に磁気力を与えることによって、この所定の流速で流動する排水のクラスターを磁気力により細分化して、排水に含まれる有害物質、汚染物質を確実に減少させることができる。
【発明の効果】
【００３８】  本発明に係る排水処理装置によれば、磁気処理装置により、排水処理を行った排水に磁気力を与えることによって、この所定の流速で流動する排水のクラスターを磁気力により細分化して排水に含まれる有害物質、汚染物質を確実に減少させることができる。
【発明を実施するための最良の形態】
【００３９】  次に、本発明に係る排水処理装置の実施の形態を説明する。
【実施例１】
【００４０】  本発明に係る排水処理装置を、合併処理化装置に適用した状態を図１に示す。この合併処理化装置は、屎尿と、台所排水、洗濯排水、洗面・浴室排水等の生活雑排水の浄化処理を行うものである。【００４１】  合併処理化装置は、既設の単独処理浄化槽１０の下流側に、付加処理浄化槽２０を配設している。単独処理浄化槽１０は既設のものを利用する。その内部構造は、例えば、上流側から流入口１１、沈殿分離室１２、接触ばっ気室１３、沈殿室１４、消毒室１５、流出口１６を設けている。【００４２】  単独処理浄化槽１０の流入口１１には屎尿排水配管（図示せず）と台所排水、洗濯排水、洗面・浴室排水等の生活雑排水配管１７が接続してある。また、沈殿室１４には排水を汲み上げるポンプＰが設置してあり、汲み上げた排水を流出口１６から排出している。【００４３】  単独処理浄化槽１０の下流側には付加処理浄化槽２０が設置してある。単独処理浄化槽１０と付加処理浄化槽２０は連結配管１８により排水の移流が可能に配管接続してある。付加処理浄化槽２０は、上流側から、流入口２１、嫌気処理部２２、好気処理部２３、沈殿部２４、消毒部２６、流出口２５を備えている。排出口２５には排出管３８が接続してある。【００４４】  上記のように構成された合併処理化装置において、その排出管３８には、磁気処理装置Ａが取付けてある。すなわち、後述するように、この磁気処理装置Ａが有する外側管体４０Ａの両側部にはジョイント部４９が設けてあり、これらのジョイント部４９を用いて、磁気処理装置Ａが排出管３８の接続端末３８Ａに接続してある（図６参照）。【００４５】  磁気処理装置Ａは、図２に示すように、一方の磁気処理体４１と、他方の磁気処理体４２と、接続管４０とで構成してある。一方の磁気処理体４１と他方の磁気処理体４２とは同構成である。この一方の磁気処理体４１は、図４に示すように、軟鉄材料から成るボックス形状の一方の磁石保持ケース４３を有しており、この磁石保持ケース４３は、底面部４３Ａと左、右面部４３Ｂ、４３Ｃと前、後面部４３Ｄ、４３Ｅとを有している。また、前、後面部４３Ｄ、４３Ｅの辺縁部には半円状の溝部４６が形成してある。【００４６】  そして、磁石保持ケース４３の底面部４３Ａの内面には、一方の異方性磁気体である永久磁石４７が固着してあり、また、磁石保持ケース４３内には、非磁性材料である合成樹脂、例えばエポキシ樹脂より成る充填材４８が充填してあり、この充填材４８の中央に永久磁石４７が表出している。この場合、磁石保持ケース４３の角部は、曲げ角度が５６度以上のアールにしてあり、磁気漏れを防ぐようにしてある。永久磁石４７は角形直方体である。【００４７】  他方の磁気処理体４２は、軟鉄材料から成るボックス形状の他方の磁石保持ケースである磁石保持ケース４３−１を有しており、この磁石保持ケース４３−１は、底面部４３Ａ−１と左、右面部４３Ｂ−１、４３Ｃ−１と前、後面部４３Ｄ−１、４３Ｅ−１とを有している。また、前、後面部４３Ｄ−１、４３Ｅ−１の辺縁部には半円状の溝部４６−１が形成してある。【００４８】  そして、磁石保持ケース４３−１の底面部４３Ａ−１の内面には、他方の異方性磁気体である永久磁石４７−１が固着してあり、また、磁石保持ケース４３−１内には、非磁性材料である合成樹脂、例えばエポキシ樹脂より成る充填材４８−１が充填してあり、この充填材４８−１の中央に永久磁石４７−１が表出している。この場合、磁石保持ケース４３−１の角部は、曲げ角度が５６度以上のアールにしてあり、磁気漏れを防ぐようにしてある。永久磁石４７−１は角形直方体である。【００４９】  そして、磁気処理装置Ａは、一方の磁気処理体４１と他方の磁気処理体４２とを、処理対象としての排水を流す非磁性体で製作された接続管４０を挟んだ状態で互いに連結して構成される。【００５０】  すなわち、図３に示されるように、一方の磁気保持ケース４３と他方の磁気保持ケース４３−１とは、相互の磁力により合体し、溝部４６、４６−１により、接続管４０が挿入される開口を形成する。接続管４０は、図２に示すように、非磁性体により形成されていて、外側管体４０Ａと内側管体４０Ｂとから構成されている。【００５１】  外側管体４０Ａは、酸化および腐食しにくいイオン化傾向の小さい非鉄金属により形成されている。イオン化傾向の小さい非鉄金属には、銅（Ｃｕ）、金（Ａｕ）、プラチナ（Ｐｔ）等が挙げられる。この外側管体４０Ａの両側部には、雄ねじを形成したジョイント部４９が設けてある。【００５２】  内側管体４０Ｂの材料には、単極電位がマイナス電位で金属の物理化学的性質を有するチタン（Ｔｉ）、タングステン（Ｗ）等が使用される。【００５３】  図５に示されるように、押潰部５０が、外側管体４０Ａ内に内側管体４０Ｂを同心的に収容した状態で、外側管体４０Ａの中央部において、互いに対向する部位を押し潰すことにより形成されている。内側管体４０Ｂは、押潰部５０により外側管体４０Ａと同心的に外側管体４０Ａに収容固定されている。内側管体４０Ｂと外側管体４０Ａの間には、押潰部５０を除いて、外側流路５１が形成されている。また、内側管体４０Ｂ内部は内側流路５２になっている。【００５４】  磁気保持ケース４３と磁気保持ケース４３−１とは、図５に示されるように、それぞれの合せ目（縁部）４３ａ、４３ａ−１で合わされ、半円状の溝部４６、４６−１（図３参照）により形成される円形孔を、接続管４０が貫通している。永久磁石４７と永久磁石４７−１は、接続管４０を挟んで対向している。永久磁石４７の対向端部４７ａはＳ極で、永久磁石４７−１の対向端部４７ａ−１はＮ極である。【００５５】  図５に示されるように、磁石保持ケース４３、４３−１は、合体して連続する枠体Ｋを構成する。この枠体Ｋは磁気誘導閉回路を構成し、いわゆる磁気回路の一部を形成する。磁気保持ケース４３の永久磁石４７の対向端部（Ｓ極）４７ａから永久磁石４７−１の対向端部（Ｎ極）４７ａ−１に向かって磁束密度の高い（４０００〜８０００ガウス）磁場が形成されている。【００５６】  磁力線Ｆは、接続管４０を貫き、枠体Ｋの中心部を通過して永久磁石４７に収束する。この磁力線Ｆにより、磁気回路（誘導磁気回路）が構成されている。磁石保持ケース４３、４３−１の角部に、曲げ角度が５６度以上のアールを形成することにより、磁気漏れの無い磁気誘導閉回路が実現している。【００５７】次に、合併処理化装置の動作について��明する。【００５８】  家庭から排出される屎尿排水ａは、屎尿配管から単独処理浄化槽１０内に流入する。そこで、浄化処理されて連結配管１８を通って付加処理浄化槽２０内に流入する。一方、台所排水（ディスポーザ排水を含む）、洗面排水・浴室排水及び洗濯排水等の生活雑排水ｂは、雑排水配管１７から単独処理浄化槽１０内に流入し、浄化処理されて連結配管１８を通って付加処理浄化槽２０内に流入する。【００５９】  このとき、単独処理浄化槽１０に流入した屎尿排水ａ及び生活雑排水ｂは、沈殿室１４に配設するポンプＰの作動により、汲み上げられて連結配管１８から付加処理浄化槽２０内に移流される。この構成の単独処理浄化槽１０においては、浴室排水のように大容量の排水が短時間に流入する場合はポンプＰにより付加処理浄化槽２０への流出量の調節を実行する。【００６０】  流入量を調節されて付加処理浄化槽２０の流入口２１から嫌気処理部２２へと流入する排水は、嫌気処理部２２において固液分離及び嫌気処理が行われる。そして、好気処理部２３にて栄養基質の酸化除去が行われる。好気処理部２３を通過した排水は、沈殿部２４内でＳＳ分（汚泥など）の沈降分離を行い、上澄み液は消毒部２６で消毒され、流出口２５から排出管３８を介して放出される。【００６１】  排水中には、微量なミネラル成分（カルシウム、ナトリウム、マグネシウム、カリウム等）が存在する。これらのミネラル成分自体は有害ではないが、これらのミネラル成分が、塩素、臭素等と化合して、塩化物、臭化物になる可能性がある。これら塩化物、臭化物は、有機物に作用して有害物質の生成に関与するものと考えられているので、排水中に含まれているこれらのミネラル成分は化合物から除去しておくことが望ましい。【００６２】  また、排水中に多少含まれる汚染物質（有機物を構成し且つ環境汚染の直接的原因物質となる炭素、窒素、リン、それに難分解性有機物質、コロイド状無機物質）、また、排水に含まれる有害物質としての環境ホルモンのビスフェノールＡ、ダイオキシン等の化学物質を除去しておくことが望ましい。【００６３】  ４０００〜８０００ガウスの磁界が垂直に印加される、接続管４０内の排水中に存在するミネラル成分は、ロレンツ力の働きにより塩素、臭素等と化合することが阻害されて、塩化物、臭化物としての有害な化合物になることを防ぐことができる【００６４】  また、４０００〜８０００ガウスの磁界が垂直に印加される、接続管４０内の排水中に存在する有機化合物は、ロレンツ力の働きにより分解されて、汚染物質（有機物を構成し且つ環境汚染の直接的原因物質となる炭素、窒素、リン、それに難分解性有機物質、コロイド状無機物質）、また、排水に含まれる有害物質としての環境ホルモンのビスフェノールＡ、ダイオキシン等の化学物質の分解が促進される。【００６５】  一方、４０００〜８０００ガウスの磁界が接続管４０内を流れる排水に印加されることにより、排水に起電力が発生するが、これは、排水に含まれる有機化合物を分解させる。この有機化合物が分解されると、排水に含まれる有害な化学物質を減少させる。【００６６】  外側管体４０Ａと内側管体４０Ｂを構成する２種類の非鉄金属の間には、それぞれが有する電位（��＝０Ｖとした場合の基準の標準電位）の電位差が存在する。つまり、外側管体４０Ａと内側管体４０Ｂとの間に電池が形成される。例えば、外側管体４０Ａを、単極電位がプラス電位の一価および三価の物理化学的性質を有する金（金の単極電位は１．７）により形成し、内側管体４０Ｂを、単極電位がマイナス電位で一価の物理化学的性質を有するチタン（チタンの単極電位は−１．７５）により形成した場合、外側管体４０Ａと内側管体４０Ｂとの間には、３．４５Ｖの電位差が発生する。【００６７】  この電位差も、上記した磁界による起電力と同様に、内、外側流路５２、５１を流れる排水に含まれる有機化合物を分解させる働きをして、排水に含まれる有害物質や汚染物質を減少させる。【００６８】  従って、磁気処理装置Ａは、これら両者の働きにより、効率的に、排水に含まれる有機化合物を分解させ、有害物質や汚染物質を減少させる。【００６９】  なお、外側管体４０Ａと内側管体４０Ｂの組合せは、上述した金（Ａｕ）とチタン（Ｔｉ）に限らない。金（Ａｕ）とタングステン（Ｗ）、プラチナ（Ｐｔ）とチタン（Ｔｉ）、プラチナ（Ｐｔ）とタングステン（Ｗ）、銅（Ｃｕ）とチタン（Ｔｉ）を、それぞれ、外側管体４０Ａと内側管体４０Ｂに採用した場合にも、両者の間に電位差が発生する。
【実施例２】
【００７０】  本発明の実施例２は、本発明に係る排水処理装置を食品工場の排水処理に適用したものであり、食品工場の排水処理装置の処理フローを図７に示す。【００７１】  食品工場から排出される排水は、業種毎だけでなく工場毎にまったく異なっているが、一般的には有機性の生物分解可能な排水が多く、油分（ヘキサン抽出物質）濃度が高いケースも多い。主たる処理対象物質は、ＢＯＤ（ＣＯＤ）、ＳＳ、油分であり、地域によってはこれらに窒素、リンが加わる。【００７２】  食品工場排水は、排水量が少ない割には汚濁物質の濃度が高いこと、生産品や生産量の季節変動があるため排水量や負荷が季節により変動すること、操業形態により一日のうちでも排水量が変動すること等が特徴である。【００７３】  放流先が公共用水域であるか、下水放流であるかによっても処理システムは異なってくるが、図７に示す処理フローのように、浮上分離と生物処理の組み合わせとなる。すなわち、爽維物を取り除いた後において原水調整槽６０で水量や水質の均一化を行い、浮上分離槽６１で油分分離を行い、その後、生物処理槽６２で生物処理により有機物分解を行い、沈殿槽６３で汚泥などを沈殿させて処理水として排出する。【００７４】  上記のように構成された食品工場の排水処理装置において、その排出管６４には、磁気処理装置Ａが取付けてある。すなわち、上記した本発明の実施例１の場合と同様にして、この磁気処理装置Ａが有する外側管体４０Ａの両側部のジョイント部４９を用いて、磁気処理装置Ａが排出管６４の接続端末６４Ａに接続してある（図６参照）。【００７５】  この磁気処理装置Ａでは、上記した本発明の実施例１の場合と同様に、接続管４０内の排水に４０００〜８０００ガウスの磁界が垂直に印加され、排水中の微量なミネラル成分の自由電子が除去され、その結果、有害物質等が発生しなくなる。また、４０００〜８０００ガウスの磁界が垂直に印加される、接続管４０内の排水中に存在する有機化合物は、ロレンツ力の働きにより分解される。【００７６】  一方、４０００〜８０００ガウスの磁界が接続管４０内を流れる排水に印加されることにより、排水に起電力が発生するが、これは、排水に含まれる有機化合物を分解させる。この有機化合物が分解されると、排水に含まれる有害物質や汚染物質を削減させる。【００７７】  外側管体４０Ａと内側管体４０Ｂを構成する２種類の非鉄金属の間には、それぞれが有する電位（Ｈ＝０Ｖとした場合の基準の標準電位）の電位差が存在する。この電位差も、上記した磁界による起電力と同様に、内、外側流路５２、５１を流れる排水に含まれる有機化合物を分解させる働きをして、排水中に含まれる有害物質や汚染物質を削減させる。【００７８】  従って、磁気処理装置Ａは、これら両者の働きにより、効率的に、排水に含まれる有機化合物を分解させ、有害物質や汚染物質を削減させる。
【実施例３】
【００７９】  本発明の実施例３は、本発明に係る排水の改質装置を火力発電所の排水処理に適用したものであり、火力発電所の排水処理装置の処理フローを図８に示す。【００８０】  燃料としてＬＮＧ、重油、石炭のどれを用いているかにより、火力発電所の排水特性は大きく異なるが、ここでは最も排水が複雑となる石炭火力発電所の排水処理について述べる。【００８１】  石炭火力発電所の排水系統は一般的に、脱硫排水、廃液排水、生活排水、含油排水、起動排水のように分けられる。脱硫排水は、排煙脱硫装置から排出される排水で、ＳＳ、ＣＯＤ、フッ素、窒素等を含んでいる。石炭火力発電所の排水の中で水量的にも最も大きく、代表的な排水である。廃液排水は、発電プラントの補給水を処理する脱塩装置のイオン交換樹脂再生時に排出される排水等であり、酸とアルカリを主として含んでいる。生活排水は、発電所構内のトイレや食堂から排出される排水で、有機物を含んでいる。【００８２】  含油排水は、補助燃料タンクヤード等から排出される排水で、油分が含まれる可能性がある。起動排水は、ボイラの保管または起動立ち上げ時に排出される排水で、一般的には弱アルカリ性で還元剤を含んでいる。【００８３】  これらの排水を、その特性に応じて別途処理し、処理後に合流し放流している。図８に示す脱硫排水処理装置のフローにおいて、難分解性窒素化合物分解槽７０では、低ｐＨ下で亜硝酸塩添加により排水中のＮ−Ｓ化合物（イミドジスルフォン酸等）の分解を行い、フッ素・重金属除去装置７１では消石灰の添加によりフッ化カルシウムと金属水酸化物を生成させることにより対象物質の除去を行い、さらに窒素除去装置７２で生物学的窒素除去を行い、濾過器７３でＳＳ除去を行った後、ＣＯＤ吸着塔７４でジチオン酸等の難分解性ＣＯＤ成分を弱塩基性イオン交換樹脂で吸着し、処理水を得ている。【００８４】  上記のように構成された脱硫排水処理装置において、その排出管７５には、磁気処理装置Ａが取付けてある。すなわち、上記した本発明の実施例１の場合と同様にして、この磁気処理装置Ａが有する外側管体４０Ａの両側部のジョイント部４９を用いて、磁気処理装置Ａが排出管６４の接続端末６４Ａに接続してある（図６参照）。【００８５】  この磁気処理装置Ａでは、接続管４０内の排水に４０００〜８０００ガウスの磁界が垂直に印加され、排水中の微量なミネラル成分の自由電子が除去され、その結果、有害物質等が発生しなくなる。  また、４０００〜８０００ガウスの磁界が垂直に印加される、接続管４０内の排水中に存在する有機化合物は、ロレンツ力の働きにより分解される。【００８６】  一方、４０００〜８０００ガウスの磁界が接続管４０内を流れる排水に印加されることにより、排水に起電力が発生するが、これは、排水に含まれる有機化合物を分解させる。この有機化合物が分解されると、排水に含まれる有害物質や汚染物質を減少させる。【００８７】  外側管体４０Ａと内側管体４０Ｂを構成する２種類の非鉄金属の間には、それぞれが有する電位（Ｈ＝０Ｖとした場合の基準の標準電位）の電位差が存在する。この電位差も、上記した磁界による起電力と同様に、内、外側流路５２、５１を流れる排水に含まれる有機化合物を分解させる���きをして、排水中に含まれる有害物質や汚染物質を減少させる。【００８８】  従って、磁気処理装置Ａは、これら両者の働きにより、効率的に、排水に含まれる有機化合物を分解させ、有害物質や汚染物質を減少させる。
【産業上の利用可能性】
【００８９】  本発明に係る排水処理装置によれば、効率的に、排水に含まれる有機化合物を分解させるために、有害物質や汚染物質を減少させることができるという効果を有し、合併浄化処理、食品工場の排水処理、火力発電所の排水処理のみならず、半導体製造工場の排水処理等を含むすべての排水処理に有用である。
【図面の簡単な説明】
【００９０】
【図１】本発明に係る排水処理装置の実施例１として合併浄化処理装置の構成説明図である。
【図２】磁気処理装置の一部分解した状態の斜視図である。
【図３】同磁気処理装置における一方及び他方の磁気処理体を組み合わせた状態の正面図である。
【図４】一方及び他方の磁気処理体の斜視図である。
【図５】磁気処理装置の中央部の断面図である。
【図６】磁気処理装置における接続管と排水管との接続の説明図である。
【図７】本発明に係る排水処理装置の実施例２として食品工場の排水処理フローの説明図である。
【図８】本発明に係る排水処理装置の実施例３として火力発電所の排水処理フローの説明図である。
【図９】従来の磁気処理装置の中央部の断面図である。
【符号の説明】
【００９１】Ａ        磁気処理装置
１０      単独処理浄化槽
２０      付加処理浄化槽
３８      排出管
４１      一方の磁気処理体
４２      他方の磁気処理体
４３      磁石保持ケース（一方の磁石保持ケース）
４３−１  磁石保持ケース（他方の磁石保持ケース）
４７      永久磁石（一方の異方性磁気体）
４７−１  永久磁石（他方の異方性磁気体）
４０      接続管
４０Ａ    外側管体
４０Ｂ    内側管体
５０      押潰部
５１      外側流路
５２      内側流路
【図１】
2006055826.tif 000003
【図２】
2006055826.tif 000004
【図３】
2006055826.tif 000005
【図４】
2006055826.tif 000006
【図５】
2006055826.tif 000007
【図６】
2006055826.tif 000008
【図７】
2006055826.tif 000009
【図８】
2006055826.tif 000010
【図９】
2006055826.tif 000011